(57)【要約】      （修正有）【課題】ペダルの踏み込みの動さの強度、方向などを調整することができ、好ましい運動の効果が得られる足踏み式健康器を提供する。【解決手段】ベース１０と、調整座と、２枚のペダルと３０、連結部材と、シリンダ５０とを含んでなり、ベースの一端には位置決め座１１を固定接続し、位置決め座は位置決め管１１２を固定接続し、また、両位置決め管は位置決めレールを形成し、該位置決め管は突起柱を設け、且つ、位置決め座の適宜な位置に位置決めネジを挿通させ、ベースは、２本の桿体を固定接続し、調整座は、下方に両側が貫通したフレームを形成し、該フレームは内側に抵抗輪２３を設けてなり、２枚のペダルは、ペダルの一端には延伸板が形成され、それぞれの延伸板は、連結部材を接続するために供され、該連結部材は、一端に第１貫通孔を形成し、もう１端には第２貫通孔を形成し、シリンダの他端を桿体に固定接続する。【選択図】図１
0003114265.tif 000002
【実用新案登録請求の範囲】
【請求項１】
ベースと、調整座と、２枚のペダルと、連結部材と、シリンダとを含んでなり、
該ベースの一端には位置決め座を固定接続し、該位置決め座は所定の位置に位置決め管を固定接続し、また、両位置決め管はベースに対向する面に位置決めレールを形成し、該位置決め管は上向きの外側面の所定の位置に突起柱を設け、且つ、位置決め座適宜な位置に外側から内側へ水平に位置決めネジを挿通させ、ベースは、平行する管材に直交する管材の所定の位置に２本の桿体を固定接続し、
該調整座は、上方に位置決めレールに対向する導引部を形成し、下方に両側が貫通したフレームを形成し、該フレームは内側にワイヤーを巻きつけた抵抗輪を回動自在に設けてなり、
２枚のペダルは、それぞれ前記突起柱の一端に回動自在に設けられ、該ペダルの一端には延伸板が形成され、該延伸板は所定に位置にワイヤーの一端が固定接続され、ワイヤーの他端は抵抗輪に巻きついて設けられるとともに、もう１つの延伸板の一端に固定接続され、さらに、それぞれの延伸板は内側の末端が接続座に固定接続し、連結部材を接続するために供され、
該連結部材は、一端に第１貫通孔を形成し、もう１端には第１貫通孔に対して垂直な面に第２貫通孔を形成し、第１貫通孔は接続座上に回動自在に設けてなり、接続部材の一端と第２貫通孔とを接続し、他端をシリンダと接続した後、シリンダの他端を桿体に固定接続し、
よって、位置決めネジを調整することにより調整座が移動してワイヤーの弾力性が増加し、ダンピング効果を高め、さらに、接続座と連結部材が回動自在に接続し、ペダルが作動時、左右に動き、連結部材は他端が接続部材に回動自在に接続しているため、接続部材が上下に動き、ペダル作動時に死角が発生することを防ぎ、スムーズな動きを行い、抵抗力を増加して体を鍛える目的を達することができる構造を特徴とする足踏み式健康器。
【請求項２】
前記両位置決め管は、断面が方形を呈し、前記位置決め座のプレートの隣り合う角にそれぞれ設けられ、ベースに対向する面に逆Ｖ字状を呈した位置決めレールを形成し、且つ、該位置決めレールは調整座に形成された導引部に対向し、調整座のフレーム間には抵抗輪の柱を固定して設けることを特徴とする請求項１に記載する足踏み式健康器。
【請求項３】
前記接続部材はＨ字状を呈してなることを特徴とする請求項１に記載する足踏み式健康器。
【考案の詳細な説明】
【技術分野】
【０００１】
本考案は健康器に関し、特にペダルを踏んで足踏み運動を行う足踏み式健康器に関する。
【背景技術】
【０００２】
図９に開示するように、従来の足踏み式健康器は、本体となるベースフレーム６０と、該ベースフレーム６０の一端に回動自在に設けられた２組のペダル６１とを含んでなり、該２枚のペダルは、それぞれ底面に、ベースフレームに回動自在に接続するシリンダ６２の一端を連結する。かかる構成によって、ペダル６１が下降すると、他方のペダル６１が上昇し、足踏み動作を形成する。
【０００３】
上述する従来の足踏み式健康器は腕立て伏せ補助器として用いることができる。但し、ペダル６１は上下にしか作動しないため、足踏み運動を提供することしかできない。このため、使用者は容易に飽きて、興味を失いやすい。その結果、最終的にはかかる器具を利用した運動を行わなくなってしまう。しかも、該ペダルは運動抵抗力としてシリンダ６２を利用するため、使用者はトレーニングの状況を調整することができない。よって、熟練の使用者が、抵抗力を強化したい場合でも調整することができないため、トレーニング効果を強化することができない。
【考案の開示】
【考案が解決しようとする課題】
【０００４】
ペダルの踏み込み動作の強度、方向などを使用者の要求に応じて調整することができ、好ましい運動の効果が得られるとともに、運動器の使用上の面白さが得られることによって、使用者の興味をそそり、運動を継続して行う意欲を持続させることのできる足踏み式健康器を提供することを課題とする。
【課題を解決するための手段】
【０００５】
請求項１に記載する足踏み式健康器は、ベースと、調整座と、２枚のペダルと、連結部材と、シリンダとを含んでなり、該ベースの一端には位置決め座を固定接続し、該位置決め座は所定の位置に位置決め管を固定接続し、また、両位置決め管はベースに対向する面に位置決めレールを形成し、該位置決め管は上向きの外側面の所定の位置に突起柱を設け、且つ、位置決め座適宜な位置に外側から内側へ水平に位置決めネジを挿通させ、ベースは、平行する管材に直交する管材の所定の位置に２本の桿体を固定接続し、該調整座は、上方に位置決めレールに対向する導引部を形成し、下方に両側が貫通したフレームを形成し、該フレームは内側にワイヤーを巻きつけた抵抗輪を回動自在に設けてなり、２枚のペダルは、それぞれ前記突起柱の一端に回動自在に設けられ、該ペダルの一端には延伸板が形成され、該延伸板は所定に位置にワイヤーの一端が固定接続され、ワイヤーの他端は抵抗輪に巻きついて設けられるとともに、もう１つの延伸板の一端に固定接続され、さらに、それぞれの延伸板は内側の末端が接続座に固定接続し、連結部材を接続するために供され、該連結部材は、一端に第１貫通孔を形成し、もう１端には第１貫通孔に対して垂直な面に第２貫通孔を形成し、第１貫通孔は接続座上に回動自在に設けてなり、接続部材の一端と第２貫通孔とを接続し、他端をシリンダと接続した後、シリンダの他端を桿体に固定接続し、よって、位置決めネジを調整することにより調整座が移動してワイヤーの弾力性が増加し、ダンピング効果を高め、さらに、接続座と連結部材が回動自在に接続し、ペダルが作動時、左右に動き、連結部材は他端が接続部材に回動自在に接続しているため、接続部材が上下に動き、ペダル作動時に死角が発生することを防ぎ、スムーズな動きを行い、抵抗力を増加して体を鍛える目的を達することができることを特徴とする。
【０００６】
請求項２に記載する足踏み式健康器は、請求項１における両位置決め管が、断面が方形を呈し、前記位置決め座のプレートの隣り合う角にそれぞれ設けられ、ベースに対向する面に逆Ｖ字状を呈した位置決めレールを形成し、且つ、該位置決めレールは調整座に形成された導引部に対向し、調整座のフレーム間には抵抗輪の柱を固定して設けることを特徴とする。
【０００７】
請求項３に記載する足踏み式健康器は、請求項１における接続部材がＨ字状を呈してなることを特徴とする。
【考案の効果】
【０００８】
本考案による足踏み式健康器は、ペダルの踏み込み動作の強度、方向などを使用者の要求に応じて調整することができるため、好ましい運動の効果が得られるとともに、運動器の使用上の面白さが得られることによって、使用者の興味をそそり、運動を継続して行う意欲を持続させることのできるという利点を有する。
【考案を実施するための最良の形態】
【０００９】
図１から図８に開示するように、本考案による足踏み式健康器は、ベース１０と、調整座２０と、２枚のペダル３０と、連結部材４０と、シリンダ５０とを含んでなる。該ベース１０は、略Ｈ字状を呈するように管材を組み合わせてなり、平行する管材の一方の管材には、中央の位置に位置決め座１１を設ける。該位置決め座１１はプレート１１１と、断面が方形を呈し、該プレート１１１の隣り合う角にそれぞれ設ける２本の位置決め管１１２とによって構成する。また、それぞれの位置決め管１１２はベース１０に対向する面に逆Ｖ字状を呈した位置決めレール１２を形成する。さらに、両位置決め管１１２は、それぞれの上向きの外側面の所定の位置にそれぞれ突起柱１３を設け、２本の突起柱１３が八の字状を呈するようにする。また、位置決め座１１のプレート１１１には適宜な位置に外側から内側へ水平に位置決めネジ１４を挿通させる。ベース１０は、平行する管材に直交する管材の所定の位置に２本の桿体１５を固定接続する。
【００１０】
調整座２０は、上方に位置決めレール１２に対向する導引部２１を形成し、下方に両側が貫通したフレーム２２を形成する。該フレーム２２は導引部２１との間に柱２２１を固定して設ける。該柱２２１は一端にワイヤーを巻きつけた抵抗輪２３を回動自在に設けてなる。よって、該調整座２０は導引部２１が位置決めレール１２に設けられ位置決めネジ１４が当接しているため、位置決めネジ１４を調整すると、該調整座２０が移動して弾力性を増し、ダンピング効果を高める目的を達成することができる。
【００１１】
２枚のペダル３０は、突起柱１３の一端に回動自在に設けられる。該ペダル３０の一端には延伸板３１が形成される。該延伸板３１は、一端の所定の位置にワイヤー３２の一端が固定接続される。ワイヤー３２の他端は、抵抗輪２３に巻いて設けられ、もう１つの延伸板３１の一端に固定接続される。よって、使用者がペダル３０の側面を踏み込むと同時にワイヤー３２が引かれ、ワイヤー３２がもう一方のペダル３０を上方へ滑動させ、上下に連動した動作をすることができる。また、延伸板３１は内側の末端が接続座３３に固定接続し、連結部材４０を接続するために供する。
【００１２】
連結部材４０は、一端の表面に第１貫通孔４０１を形成し、もう１端には第１貫通孔４０１に対して垂直な面に第２貫通孔４０２を形成する。該第１貫通孔４０１は、接続座３３上に回動自在に設ける。また、別にＨ字状の接続部材４１の一端を連結部材４０の他端に設け、第２貫通孔４０２と接続させる。さらに、シリンダ５０の他端は桿体１５に固定接続しているため、ペダル３０が作動する場合、シリンダ５０が圧力を吸収して緩衝効果を産み出し、ペダル３０を踏み込んだ時に急に下降して使用者に傷害を与えるといったトラブルを防ぐ。
【００１３】
前述のように、該ベース１０は上方にペダル３０を回動自在に設け、該ペダル３０は延伸板３１を固定接続する。延伸板３１は一端に接続座３３を固定接続し、該接続座３３は連結部材４０を回動自在に接続する。よって、使用者がペダル３０を踏み込むと、左右に動かすことができる。また、該連結部材４０は他端にＨ字状の接続部材４１を回動自在に設け、該Ｈ字状の接続部材４１は、上下運動を行うことができる。これにより、ペダル３０が作動したときに死角が産み出されスムーズに動かないというような現象を防ぐことができる。さらに、使用者がペダル３０を踏み込むと、シリンダ５０の内圧が緩和されてペダル３０が徐々に下降する。この場合、使用者は位置決めネジ１４を調整して必要に応じて調整座２０を移動することができる。よって、抵抗輪２３がワイヤー３３を引っ張り、使用者がペダル３０を踏み込む時の力を増加させるとともに、ペダル３０とシリンダ５０が作動する場合の死角をなくし、スムーズな動作を行い、抵抗力を増加して使用者が体を鍛える目的を増加させることができる。
【００１４】
前述のように、本考案の足踏み式健康器は、使用者がペダルを踏み込む時、ペダルとシリンダが多様な方向に動くため、踏み込む動作を繰り返すと、上下、左右に作動する。該動作はスキーなどで見られる。使用者は従来の上下足踏み式健康器の楽しみを得られるとともに、位置決めネジが調整座を突き動かすように調整すると、抵抗輪がワイヤーを引っ張り、ペダルを踏み込む時の抵抗力を増加することができるため、使用者は好みに合わせて調整し、体を鍛える効果を増進させることができる。
【００１５】
以上は本考案の好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【産業上の利用可能性】
【００１６】
以上、説明したように、本考案による足踏み式健康器は、ペダルの踏み込み動作の強度、方向などを使用者の要求に応じて調整することができるため、好ましい運動の効果が得られるとともに、運動器の使用上の面白さが得られることによって、使用者の興味をそそり、運動を継続して行う意欲を持続させることのできるという利点を有するため、産業界に寄与すること大である。
【図面の簡単な説明】
【００１７】
【図１】本考案による足踏み式健康器の外観を示した説明図である。
【図２】図１に開示する足踏み式健康器におけるペダルとシリンダの部分の分解図である。
【図３】本考案の足踏み式健康器におけるシリンダの連結構造を示した一部拡大図である。
【図４】図１に開示する足踏み式健康器の平面図である。
【図５】図１に開示する足踏み式健康器の動作を示した説明図である。
【図６】図１に開示する足踏み式健康器のペダルの動作を示した説明図である。
【図７】本考案の足踏み式健康器におけるダンピング調整構造の説明図である。
【図８】本考案の足踏み式健康器におけるダンピング調整をする動作を示した説明図である。
【図９】従来の足踏み式健康器の斜視図である。
【符号の説明】
【００１８】
１０                  ベース
１１                  位置決め座
１２                  レール
１３                  突起柱
１４                  位置決めネジ
１５                  桿体
２０                  調整座
２２                  フレーム
２３                  抵抗輪
３０                  ペダル
３１                  延伸板
３２                  ワイヤー
３３                  接続座
４０                  連結部材
４１                  接続部材
５０                  シリンダ
１１１            プレート
１１２            位置決め管
４０１            第１貫通孔
４０２            第２貫通孔
【図１】
0003114265.tif 000003
【図２】
0003114265.tif 000004
【図３】
0003114265.tif 000005
【図４】
0003114265.tif 000006
【図５】
0003114265.tif 000007
【図６】
0003114265.tif 000008
【図７】
0003114265.tif 000009
【図８】
0003114265.tif 000010
【図９】
0003114265.tif 000011